【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
コンベヤベルトの稼動時における消費電力を予測、低減化させるため、コンベヤローラに生じる乗り越え抵抗力を測定するコンベヤベルトのコンベヤローラ乗り越え抵抗力測定方法であって、上面側に撓み防止用のプレートを配設し、長手方向両端にロードセルを配置した所定長さに切断したコンベヤベルトの下面側から転動面に歪みゲージを埋設したコンベヤローラを所定の圧力で押圧させた状態で、該コンベヤローラをコンベヤベルトの長手方向に沿って転動させ、このコンベヤローラの走行時におけるコンベヤベルトの張り側張力と緩み側張力とを前記ロードセルにより検出すると共に、前記コンベヤローラに埋設した歪みゲージによりコンベヤローラの表面に生じる半径方向の歪みをコンベヤローラの転動と共に測定し、前記コンベヤベルトの張り側張力と緩み側張力との差と前記歪みゲージによる歪み測定値とからコンベヤベルトに生じる分布力を測定することを特徴とするコンベヤベルトのコンベヤローラ乗り越え抵抗力測定方法。
【請求項２】
前記コンベヤベルトの両端に配置したロードセルの張り側張力と緩み側張力との差をコンベヤローラの乗り越え抵抗力とした請求項１に記載のコンベヤベルトのコンベヤローラ乗り越え抵抗力測定方法。
【請求項３】
コンベヤベルトの稼動時における消費電力を予測、低減化させるため、コンベヤローラに生じる乗り越え抵抗力を測定するコンベヤベルトのコンベヤローラ乗り越え抵抗力測定装置であって、所定長さに切断したコンベヤベルトの長手方向両端にコンベヤベルトの張り側張力と緩み側張力とを測定するロードセルを配置し、このコンベヤベルト上面側に、撓み防止用のプレートを配設すると共に、コンベヤベルトの下面側に、コンベヤベルトの長手方向に沿って転動可能で、かつ昇降可能なコンベヤローラを設置し、このコンベヤローラの転動面の一部に歪みゲージを埋設し、この歪みゲージによりコンベヤローラの表面に生じる半径方向の歪みをコンベヤローラの転動と共に測定するようにしたことを特徴とするコンベヤベルトのコンベヤローラ乗り越え抵抗力測定装置。
【請求項４】
前記コンベヤローラを回転自在に支持する支持軸に、コンベヤローラをコンベヤベルトの下面側に押圧させた時の垂直抗力を測定するためのロードセルを設けた請求項３に記載のコンベヤベルトのコンベヤローラ乗り越え抵抗力測定装置。
【請求項５】
前記コンベヤベルトの上面と撓み防止用プレートとの間に、複数枚のフッ素樹脂シートを介在させた請求項３または４に記載のコンベヤベルトのコンベヤローラ乗り越え抵抗力測定装置。
【請求項６】
前記歪みゲージは、コンベヤローラの転動面の一部に形成した凹部に片持ち梁状に取り付けられる請求項３〜５のいずれかに記載のコンベヤベルトのコンベヤローラ乗り越え抵抗力測定装置。
【請求項７】
請求項３〜６のいずれかに記載のコンベヤベルトのコンベヤローラ乗り越え抵抗力測定装置を用いて、コンベヤベルトの下面側からコンベヤローラを所定の圧力で押圧させた状態で該コンベヤベルトの長手方向に沿って転動させ、該コンベヤローラに埋設した歪みゲージによる歪み測定値により、前記コンベヤローラが該コンベヤベルトに接触し始めてからその接触点が該コンベヤベルトから離れるまでの接触時間を算出し、該コンベヤベルトの動的粘弾性試験により取得したデータに基づいて応力緩和曲線を算出し、該応力緩和曲線の前記接触時間領域における傾きが小さくなる程、稼働時におけるコンベヤベルトの動力損失が低減すると評価するコンベヤベルトの動力損失の評価方法。
【手続補正２】
【補正対象書類名】明細書
【補正対象項目名】００１１
【補正方法】変更
【補正の内容】
【００１１】
上記目的を達成するため、この発明のコンベヤベルトのコンベヤローラ乗り越え抵抗力測定方法は、コンベヤベルトの稼動時における消費電力を予測、低減化させるため、コンベヤローラに生じる乗り越え抵抗力を測定するコンベヤベルトのコンベヤローラ乗り越え抵抗力測定方法であって、上面側に撓み防止用のプレートを配設し、長手方向両端にロードセルを配置した所定長さに切断したコンベヤベルトの下面側から転動面に歪みゲージを埋設したコンベヤローラを所定の圧力で押圧させた状態で、該コンベヤローラをコンベヤベルトの長手方向に沿って転動させ、このコンベヤローラの走行時におけるコンベヤベルトの張り側張力と緩み側張力とを前記ロードセルにより検出すると共に、前記コンベヤローラに埋設した歪みゲージによりコンベヤローラの表面に生じる半径方向の歪みをコンベヤローラの転動と共に測定し、前記コンベヤベルトの張り側張力と緩み側張力との差と前記歪みゲージによる歪み測定値とからコンベヤベルトに生じる分布力を測定することを要旨とするものである。
【手続補正３】
【補正対象書類名】明細書
【補正対象項目名】００１３
【補正方法】変更
【補正の内容】
【００１３】
また、この発明のコンベヤベルトのコンベヤローラ乗り越え抵抗力測定装置は、コンベヤベルトの稼動時における消費電力を予測、低減化させるため、コンベヤローラに生じる乗り越え抵抗力を測定するコンベヤベルトのコンベヤローラ乗り越え抵抗力測定装置であって、所定長さに切断したコンベヤベルトの長手方向両端にコンベヤベルトの張り側張力と緩み側張力とを測定するロードセルを配置し、このコンベヤベルト上面側に、撓み防止用のプレートを配設すると共に、コンベヤベルトの下面側に、コンベヤベルトの長手方向に沿って転動可能で、かつ昇降可能なコンベヤローラを設置し、このコンベヤローラの転動面の一部に歪みゲージを埋設し、この歪みゲージによりコンベヤローラの表面に生じる半径方向の歪みをコンベヤローラの転動と共に測定するようにしたことを要旨とするものである。
【手続補正４】
【補正対象書類名】明細書
【補正対象項目名】００１４
【補正方法】変更
【補正の内容】
【００１４】
ここで、前記コンベヤローラを回転自在に支持する支持軸に、コンベヤローラをコンベヤベルトの下面側に押圧させた時の垂直抗力を測定するためのロードセルを設けることもできる。前記コンベヤベルトの上面と撓み防止用プレートとの間に、複数枚のフッ素樹脂シートを介在させることもできる。前記歪みゲージは、例えばコンベヤローラの転動面の一部に形成した凹部に片持ち梁状に取り付けられる。
【手続補正５】
【補正対象書類名】明細書
【補正対象項目名】００１６
【補正方法】変更
【補正の内容】
【００１６】
また、本発明のコンベヤベルトの動力損失の評価方法は、上記に記載のコンベヤベルトのコンベヤローラ乗り越え抵抗力測定装置を用いて、コンベヤベルトの下面側からコンベヤローラを所定の圧力で押圧させた状態で該コンベヤベルトの長手方向に沿って転動させ、該コンベヤローラに埋設した歪みゲージによる歪み測定値により、前記コンベヤローラが該コンベヤベルトに接触し始めてからその接触点が該コンベヤベルトから離れるまでの接触時間を算出し、該コンベヤベルトの動的粘弾性試験により取得したデータに基づいて応力緩和曲線を算出し、該応力緩和曲線の前記接触時間領域における傾きが小さくなる程、稼働時におけるコンベヤベルトの動力損失が低減すると評価することを特徴とするものである。
【手続補正６】
【補正対象書類名】明細書
【補正対象項目名】００５２
【補正方法】変更
【補正の内容】
【００５２】
したがって、ピークシフト現象を生じさせる時間領域（ベルト−ローラ間の接触時間領域）におけるコンベヤベルトＷの応力緩和現象に注目することにより、コンベヤベルトＷの稼動時に生じる動力損失を適正に評価することができるようなる。